【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
被写体を撮像して画像を得る撮像手段と、
前記撮像手段によって取得される画像から人物の顔領域を抽出する顔領域抽出手段と、
前記顔領域抽出手段によって抽出された顔領域の数を取得する顔領域数取得手段と、
前記顔領域数取得手段によって取得された顔画像の数に基づいて、前記撮像手段によって得られた画像の記録処理を行う画像記録手段と、
を備えたことを特徴とする撮像装置。
【請求項２】
撮影予定人数を設定する撮影予定人数設定手段を更に備え、
前記画像記録手段は、前記撮影予定人数設定手段により設定された撮影予定人数と前記顔領域数取得手段によって取得された顔領域の数とが一致した場合に、前記撮像手段によって得られた画像の記録処理を行うことを特徴とする請求項１に記載の撮像装置。
【請求項３】
前記撮影予定人数と前記顔領域数取得手段によって取得された顔領域の数とが一致した場合に、その旨を報知する報知手段を更に備えたことを特徴とする請求項２に記載の撮像装置。
【請求項４】
当該装置外部から送信される信号を受信する受信手段を更に備え、
前記撮影予定設定手段は、前記受信手段によって受信された信号に基づいて、撮影予定人数を設定することを特徴とする請求項２又は３に記載の撮像装置。
【請求項５】
前記撮影予定人数設定手段により設定された撮影予定人数と前記顔領域数取得手段によって取得された顔領域の数とが一致した時から所定時間を計時する計時手段を更に備え、
前記画像記録手段は、前記計時手段による所定時間の計時が終了すると、前記撮像手段によって得られた画像の記録処理を行うことを特徴とする請求項２乃至４の何れかに記載の撮像装置。
【請求項６】
前記計時手段が計時する所定時間は、当該装置外部から送信される信号に基づいて設定されることを特徴とする請求項５に記載の撮像装置。
【請求項７】
前記計時手段による所定時間の計時が開始すると、撮影予告を出力する出力手段を更に備えたことを特徴とする請求項５又は６に記載の撮像装置。
【請求項８】
前記被写体に対して合焦する合焦手段を更に備え、
前記画像記録手段は、前記合焦手段による合焦が終了すると、前記撮像手段によって得られた画像の記録処理を行うことを特徴とすることを特徴とする請求項１乃至７の何れかに記載の撮像装置。
【請求項９】
撮像することによって得られる画像から人物の顔領域を抽出する顔領域抽出ステップと、
前記顔領域抽出ステップにて抽出された顔領域の数を取得する顔領域数取得ステップと、
前記顔領域数取得ステップにて取得された顔画像の数に基づいて、前記得られた画像の記録処理を行う画像記録ステップと、
を含むことを特徴とする画像記録方法。
【請求項１０】
撮像部を有する情報機器が備えるコンピュータを、
撮像部により得られる画像から人物の顔領域を抽出する顔領域抽出手段、
前記顔領域抽出手段によって抽出された顔領域の数を取得する顔領域数取得手段、
前記顔領域数取得手段によって取得された顔画像の数に基づいて、前記得られた画像の記録処理を行う画像記録手段、
として機能させることを特徴とするプログラム。
【手続補正２】
【補正対象書類名】明細書
【補正対象項目名】発明の名称
【補正方法】変更
【補正の内容】
【発明の名称】撮像装置、画像記録方法、および、プログラム
【手続補正３】
【補正対象書類名】明細書
【補正対象項目名】０００７
【補正方法】変更
【補正の内容】
【０００７】
本発明は上記問題を解決するためになされたものであり、集合写真等の撮影を容易に行なえるようにすることを目的とする。
【手続補正４】
【補正対象書類名】明細書
【補正対象項目名】０００８
【補正方法】変更
【補正の内容】
【０００８】
上記課題を解決するために、請求項１に記載の発明は、被写体を撮像して画像を得る撮像手段と、前記撮像手段によって取得される画像から人物の顔領域を抽出する顔領域抽出手段と、前記顔領域抽出手段によって抽出された顔領域の数を取得する顔領域数取得手段と、前記顔領域数取得手段によって取得された顔画像の数に基づいて、前記撮像手段によって得られた画像の記録処理を行う画像記録手段と、を備えたことを特徴とする。
【手続補正５】
【補正対象書類名】明細書
【補正対象項目名】０００９
【補正方法】変更
【補正の内容】
【０００９】
また、請求項２に記載の発明は請求項１に記載の発明において、撮影予定人数を設定する撮影予定人数設定手段を更に備え、前記画像記録手段は、前記撮影予定人数設定手段により設定された撮影予定人数と前記顔領域数取得手段によって取得された顔領域の数とが一致した場合に、前記撮像手段によって得られた画像の記録処理を行うことを特徴とする。
【手続補正６】
【補正対象書類名】明細書
【補正対象項目名】００１０
【補正方法】変更
【補正の内容】
【００１０】
また、請求項３に記載の発明は請求項２に記載の発明において、前記撮影予定人数と前記顔領域数取得手段によって取得された顔領域の数とが一致した場合に、その旨を報知する報知手段を更に備えたことを特徴とする。
【手続補正７】
【補正対象書類名】明細書
【補正対象項目名】００１１
【補正方法】変更
【補正の内容】
【００１１】
また、請求項４に記載の発明は請求項２又は３に記載の発明において、当該装置外部から送信される信号を受信する受信手段を更に備え、前記撮影予定設定手段は、前記受信手段によって受信された信号に基づいて、撮影予定人数を設定することを特徴とする。
【手続補正８】
【補正対象書類名】明細書
【補正対象項目名】００１２
【補正方法】変更
【補正の内容】
【００１２】
また、請求項５に記載の発明は請求項２乃至４の何れかに記載の発明において、前記撮影予定人数設定手段により設定された撮影予定人数と前記顔領域数取得手段によって取得された顔領域の数とが一致した時から所定時間を計時する計時手段を更に備え、前記画像記録手段は、前記計時手段による所定時間の計時が終了すると、前記撮像手段によって得られた画像の記録処理を行うことを特徴とする。
【手続補正９】
【補正対象書類名】明細書
【補正対象項目名】００１３
【補正方法】変更
【補正の内容】
【００１３】
また、請求項６に記載の発明は請求項５に記載の発明において、前記計時手段が計時する所定時間は、当該装置外部から送信される信号に基づいて設定されることを特徴とする。
【手続補正１０】
【補正対象書類名】明細書
【補正対象項目名】００１４
【補正方法】変更
【補正の内容】
【００１４】
また、請求項７に記載の発明は請求項５又は６に記載の発明において、前記計時手段による所定時間の計時が開始すると、撮影予告を出力する出力手段を更に備えたことを特徴とする。
【手続補正１１】
【補正対象書類名】明細書
【補正対象項目名】００１５
【補正方法】変更
【補正の内容】
【００１５】
また、請求項８に記載の発明は請求項１乃至７の何れかに記載の発明において、前記被写体に対して合焦する合焦手段を更に備え、前記画像記録手段は、前記合焦手段による合焦が終了すると、前記撮像手段によって得られた画像の記録処理を行うことを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
また、請求項９に記載の発明は、撮像することによって得られる画像から人物の顔領域を抽出する顔領域抽出ステップと、前記顔領域抽出ステップにて抽出された顔領域の数を取得する顔領域数取得ステップと、前記顔領域数取得ステップにて取得された顔画像の数に基づいて、前記得られた画像の記録処理を行う画像記録ステップと、を含むことを特徴とする。
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】変更
【補正の内容】
【００２５】
また、請求項１０に記載の発明は、撮像部を有する情報機器が備えるコンピュータを、撮像部により得られる画像から人物の顔領域を抽出する顔領域抽出手段、前記顔領域抽出手段によって抽出された顔領域の数を取得する顔領域数取得手段、前記顔領域数取得手段によって取得された顔画像の数に基づいて、前記得られた画像の記録処理を行う画像記録手段、として機能させることを特徴とする。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
本発明によれば、集合写真等の撮影の容易を容易に行なえるようになる。
【手続補正２４】
【補正対象書類名】明細書
【補正対象項目名】０１０８
【補正方法】変更
【補正の内容】
【０１０８】
上記図１６のフローチャートに示した動作により、デジタルカメラ４００は顔認識により個別認識することができた被撮影者の人数が予め設定された撮影予定登録者数と一致する場合に自動的に撮影を行うことができる。例えば、電車内や遊園地、イベント会場のような人ごみの中で例えば家族や友人のような登録人物がフレーム内にいる場合に自動撮影を行なうので、撮影者が人数や人の顔を目視等で確認しなくてもよいし、見間違えるようなことが生じない。また、被撮影者の人数が予め設定された人数の登録者と一致する場合に類似度の最も高い顔領域にオートフォーカス処理により自動的にピントを合わせるので、人ごみの中で撮影対象者にピントのあった写真を自動撮影できる。また、セルフタイマー機能を設定しておくと、顔認識により認識された被撮影者の人数が予め設定された撮影予定登録者数と一致する場合にタイマーのカウントダウンを開始するので、撮影対象者に声をかけるなどしてカメラに注目させてから自動撮影することもできる。